【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
地域と、災害に関する当該地域に対応する情報に基づく画像処理を行う画像処理装置とを対応付けた対応情報を保持する保持手段と、
前記画像処理装置の状態を取得する状態取得手段と、
前記状態取得手段による状態の取得に応じて、前記対応情報における前記地域と前記画像処理装置との対応付けを変更する変更手段と、
災害に関する特定の地域に対応する情報を受信する受信手段と、
前記受信手段により受信した情報を、前記対応情報において前記特定の地域に対応付けられた画像処理装置に送信する送信手段と
を備えたことを特徴とする情報管理装置。
【請求項２】
災害の発生に関する情報を取得する情報取得手段を更に備え、
前記状態取得手段は、前記情報取得手段による前記災害の発生に関する情報の取得に応じて、前記画像処理装置の状態を取得することを特徴とする請求項１記載の情報管理装置。
【請求項３】
前記状態取得手段は、前記画像処理装置における不具合の発生情報を取得し、
前記変更手段は、前記状態取得手段による不具合の発生情報の取得に応じて、地域と、前記不具合が発生している画像処理装置とが対応付けられた前記対応情報を、前記地域と、不具合が発生していない少なくとも１つの画像処理装置とを対応付けた新たな対応情報に変更することを特徴とする請求項１記載の情報管理装置。
【請求項４】
前記変更手段は、複数の地域間の関係を定義した情報に基づいて、不具合が発生していない複数の画像処理装置の中から、前記少なくとも１つの画像処理装置を選択することを特徴とする請求項３記載の情報管理装置。
【請求項５】
前記状態取得手段は、前記画像処理装置の特定の機能に影響する不具合の発生情報を取得し、
前記変更手段は、前記状態取得手段による不具合の発生情報の取得に応じて、地域と、前記特定の機能に影響する不具合が発生している画像処理装置とが対応付けられた前記対応情報を、前記地域と、前記特定の機能に影響する不具合が発生していない少なくとも１つの画像処理装置とを対応付けた新たな対応情報に変更することを特徴とする請求項１記載の情報管理装置。
【請求項６】
災害に関する情報であって、第１の地域に対応する第１の情報と、第２の地域に対応する第２の情報とを取得する情報取得手段と、
前記第１の情報に基づく画像処理を行う第１の画像処理装置における事情に応じて、前記第２の情報に基づく画像処理を行う第２の画像処理装置にて、当該第１の情報及び当該第２の情報に基づく画像処理が行われるように制御する制御手段と
を備えたことを特徴とする画像処理制御装置。
【請求項７】
前記制御手段は、前記第１の情報に基づく画像処理を行う第１の画像処理装置に特定の機能に影響しない事情が発生した場合に、当該第１の画像処理装置にて当該第１の情報に基づく画像処理を行い、前記第２の情報に基づく画像処理を行う第２の画像処理装置にて当該第２の情報に基づく画像処理が行われるように制御することを特徴とする請求項６記載の画像処理制御装置。
【請求項８】
災害に関する第１の地域に対応する第１の情報に基づく画像処理を行う第１の画像処理手段と、
災害に関する第２の地域に対応する第２の情報に基づく画像処理を行う第２の画像処理手段と、
前記第１の画像処理手段における特定の事象の発生に応じて、前記第１の情報に基づく画像処理が、前記第１の画像処理手段に代わって前記第２の画像処理手段にて行われるように制御する制御手段と
を備えたことを特徴とする画像処理システム。
【請求項９】
前記制御手段は、災害の発生に関する情報を取得した際に、前記第１の画像処理手段における特定の事象の発生を取得することを特徴とする請求項８記載の画像処理システム。
【請求項１０】
前記制御手段は、前記第１の地域と前記第１の画像処理手段とを対応付けた対応情報を、当該第１の地域と前記第２の画像処理手段とを対応付けた新たな対応情報に変更することを特徴とする請求項８記載の画像処理システム。
【請求項１１】
コンピュータに、
地域と、災害に関する当該地域に対応する情報に基づく画像処理を行う画像処理装置とを対応付けた対応情報を保持する保持部から、当該対応情報を読み出す機能と、
前記画像処理装置の状態を取得する機能と、
前記状態の取得に応じて、前記対応情報における前記地域と前記画像処理装置との対応付けを変更して前記保持部に書き込む機能と、
災害に関する特定の地域に対応する情報を受信する機能と、
受信した情報を、前記対応情報において前記特定の地域に対応付けられた画像処理装置に送信する機能と
を実現させるためのプログラム。
【請求項１２】
コンピュータに、災害の発生に関する情報を取得する機能を更に実現させ、
前記状態を取得する機能では、前記災害の発生に関する情報の取得に応じて、前記画像処理装置の状態を取得することを特徴とする請求項１１記載のプログラム。
【請求項１３】
前記状態を取得する機能では、前記画像処理装置における不具合の発生情報を取得し、
前記書き込む機能では、前記不具合の発生情報の取得に応じて、前記地域と、不具合が発生していない少なくとも１つの画像処理装置とを対応付けた新たな対応情報を書き込むことを特徴とする請求項１１記載のプログラム。
【請求項１４】
前記書き込む機能では、複数の地域間の関係を定義した情報に基づいて、不具合が発生していない複数の画像処理装置の中から、前記少なくとも１つの画像処理装置を選択することを特徴とする請求項１３記載のプログラム。
【手続補正２】
【補正対象書類名】明細書
【補正対象項目名】０００８
【補正方法】変更
【補正の内容】
【０００８】
請求項１に記載の発明は、
地域と、災害に関する当該地域に対応する情報に基づく画像処理を行う画像処理装置とを対応付けた対応情報を保持する保持手段と、
前記画像処理装置の状態を取得する状態取得手段と、
前記状態取得手段による状態の取得に応じて、前記対応情報における前記地域と前記画像処理装置との対応付けを変更する変更手段と、
災害に関する特定の地域に対応する情報を受信する受信手段と、
前記受信手段により受信した情報を、前記対応情報において前記特定の地域に対応付けられた画像処理装置に送信する送信手段と
を備えたことを特徴とする情報管理装置である。
請求項２に記載の発明は、
災害の発生に関する情報を取得する情報取得手段を更に備え、
前記状態取得手段は、前記情報取得手段による前記災害の発生に関する情報の取得に応じて、前記画像処理装置の状態を取得することを特徴とする請求項１記載の情報管理装置である。
請求項３に記載の発明は、
前記状態取得手段は、前記画像処理装置における不具合の発生情報を取得し、
前記変更手段は、前記状態取得手段による不具合の発生情報の取得に応じて、地域と、前記不具合が発生している画像処理装置とが対応付けられた前記対応情報を、前記地域と、不具合が発生していない少なくとも１つの画像処理装置とを対応付けた新たな対応情報に変更することを特徴とする請求項１記載の情報管理装置である。
請求項４に記載の発明は、
前記変更手段は、複数の地域間の関係を定義した情報に基づいて、不具合が発生していない複数の画像処理装置の中から、前記少なくとも１つの画像処理装置を選択することを特徴とする請求項３記載の情報管理装置である。
請求項５に記載の発明は、
前記状態取得手段は、前記画像処理装置の特定の機能に影響する不具合の発生情報を取得し、
前記変更手段は、前記状態取得手段による不具合の発生情報の取得に応じて、地域と、前記特定の機能に影響する不具合が発生している画像処理装置とが対応付けられた前記対応情報を、前記地域と、前記特定の機能に影響する不具合が発生していない少なくとも１つの画像処理装置とを対応付けた新たな対応情報に変更することを特徴とする請求項１記載の情報管理装置である。
請求項６に記載の発明は、
災害に関する情報であって、第１の地域に対応する第１の情報と、第２の地域に対応する第２の情報とを取得する情報取得手段と、
前記第１の情報に基づく画像処理を行う第１の画像処理装置における事情に応じて、前記第２の情報に基づく画像処理を行う第２の画像処理装置にて、当該第１の情報及び当該第２の情報に基づく画像処理が行われるように制御する制御手段と
を備えたことを特徴とする画像処理制御装置である。
請求項７に記載の発明は、
前記制御手段は、前記第１の情報に基づく画像処理を行う第１の画像処理装置に特定の機能に影響しない事情が発生した場合に、当該第１の画像処理装置にて当該第１の情報に基づく画像処理を行い、前記第２の情報に基づく画像処理を行う第２の画像処理装置にて当該第２の情報に基づく画像処理が行われるように制御することを特徴とする請求項６記載の画像処理制御装置である。
請求項８に記載の発明は、
災害に関する第１の地域に対応する第１の情報に基づく画像処理を行う第１の画像処理手段と、
災害に関する第２の地域に対応する第２の情報に基づく画像処理を行う第２の画像処理手段と、
前記第１の画像処理手段における特定の事象の発生に応じて、前記第１の情報に基づく画像処理が、前記第１の画像処理手段に代わって前記第２の画像処理手段にて行われるように制御する制御手段と
を備えたことを特徴とする画像処理システムである。
請求項９に記載の発明は、
前記制御手段は、災害の発生に関する情報を取得した際に、前記第１の画像処理手段における特定の事象の発生を取得することを特徴とする請求項８記載の画像処理システムである。
請求項１０に記載の発明は、
前記制御手段は、前記第１の地域と前記第１の画像処理手段とを対応付けた対応情報を、当該第１の地域と前記第２の画像処理手段とを対応付けた新たな対応情報に変更することを特徴とする請求項８記載の画像処理システムである。
請求項１１に記載の発明は、
コンピュータに、
地域と、災害に関する当該地域に対応する情報に基づく画像処理を行う画像処理装置とを対応付けた対応情報を保持する保持部から、当該対応情報を読み出す機能と、
前記画像処理装置の状態を取得する機能と、
前記状態の取得に応じて、前記対応情報における前記地域と前記画像処理装置との対応付けを変更して前記保持部に書き込む機能と、
災害に関する特定の地域に対応する情報を受信する機能と、
受信した情報を、前記対応情報において前記特定の地域に対応付けられた画像処理装置に送信する機能と
を実現させるためのプログラムである。
請求項１２に記載の発明は、
コンピュータに、災害の発生に関する情報を取得する機能を更に実現させ、
前記状態を取得する機能では、前記災害の発生に関する情報の取得に応じて、前記画像処理装置の状態を取得することを特徴とする請求項１１記載のプログラムである。
請求項１３に記載の発明は、
前記状態を取得する機能では、前記画像処理装置における不具合の発生情報を取得し、
前記書き込む機能では、前記不具合の発生情報の取得に応じて、前記地域と、不具合が発生していない少なくとも１つの画像処理装置とを対応付けた新たな対応情報を書き込むことを特徴とする請求項１１記載のプログラムである。
請求項１４に記載の発明は、
前記書き込む機能では、複数の地域間の関係を定義した情報に基づいて、不具合が発生していない複数の画像処理装置の中から、前記少なくとも１つの画像処理装置を選択することを特徴とする請求項１３記載のプログラムである。
【手続補正３】
【補正対象書類名】明細書
【補正対象項目名】０００９
【補正方法】変更
【補正の内容】
【０００９】
請求項１の発明は、地域と、災害に関する前記地域に対応する情報を処理する画像処理装置との対応関係に、前記画像処理装置の状態が反映されるという効果を有する。
請求項２の発明は、本構成を有していない場合に比較して、災害の発生に関する情報を取得していない場合の処理負荷を軽減できるという効果を有する。
請求項３の発明は、地域が、不具合が発生している画像処理装置と対応付けられていることがなくなるという効果を有する。
請求項４の発明は、地域が、地域間の関係のない画像処理装置と対応付けられることがなくなるという効果を有する。
請求項５の発明は、特定の機能に影響しない画像処理装置の変更がなされなくなるという効果を有する。
請求項６の発明は、本構成を有していない場合に比較して、災害に関する地域に対応する情報を処理できる可能性が高まるという効果を有する。
請求項７の発明は、特定の機能に影響しない画像処理装置の変更がなされなくなるという効果を有する。
請求項８の発明は、本構成を有していない場合に比較して、特定の事象が発生しても災害に関する地域に対応する情報を処理できる可能性が高まるという効果を有する。
請求項９の発明は、本構成を有していない場合に比較して、災害の発生に関する情報
を取得していない場合の処理負荷を軽減できるという効果を有する。
請求項１０の発明は、本構成を有していない場合に比較して、災害に関する地域に対応する情報の処理の継続性が高まるという効果を有する。
請求項１１の発明は、地域と、災害に関する前記地域に対応する情報を処理する画像処理装置との対応関係に、前記画像処理装置の状態が反映されるという効果を有する。
請求項１２の発明は、本構成を有していない場合に比較して、災害の発生に関する情報を取得していない場合の処理負荷を軽減できるという効果を有する。
請求項１３の発明は、本構成を有していない場合に比較して、災害に関する地域に対応する情報を処理できる可能性が高まるという効果を有する。
請求項１４の発明は、地域間の関係のない画像処理装置で、災害に関する地域に対応する情報が処理されることがなくなるという効果を有する。